(57)【特許請求の範囲】
【請求項１】
メインボードに実装されて使用され、ケーブル側コネクタプラグと該メインボードとの間を接続するコネクタソケットモジュールであって、
コネクタソケットモジュール本体と、
該コネクタソケットモジュール本体をホールドして、該コネクタソケットモジュール本体の背面側を覆うホルダー部材とを有し、
前記コネクタソケットモジュール本体は、
中継基板と、
該中継基板の前面に並んで実装してあり、前記ケーブル側コネクタプラグが接続される複数のI/Oコネクタソケットと、
該中継基板の背面に実装してあり、前記メインボード上のコネクタと接続される実装用コネクタとを有する構成であり、
前記ホルダー部材は、
所定形状の金属板部材を折り曲げて形成された構造であり、
左右側の側板部と、
該左右側の側板部間に横架してある中空の梁部と、
該中空梁部より下方向に延びている背面板部と、
前記側板部から横に張り出ている側板側脚部と前記背面板部から横に張り出ている背面板側脚部との組み合わせによって形成してある脚構造部と、
該組み合わせ構造脚部の下端に位置する重ね構造の足構造部と、
前記メインボードに固定される部分と、
を有する構成であることを特徴とするコネクタソケットモジュール。
【請求項２】
請求項１に記載のコネクタソケットモジュールにおいて、
前記コネクタソケットモジュール本体が、その中継基板を、前記中空梁部にねじ部材によって固定してある構成としたことを特徴とするコネクタソケットモジュール。
【請求項３】
請求項２に記載のコネクタソケットモジュールにおいて、
前記ホルダー部材の前記中空梁部は、
断面が略四角形状であり、前板部を有し、該前板部はねじ孔を有する構成であり、
前記コネクタソケットモジュール本体の前記中継基板は、前記ねじ部材が該中継基板の孔を貫通し前記前板部の前記ねじ孔に螺合されて、前記中空梁部の前記前板部に固定してある構成としたことを特徴とするコネクタソケットモジュール。
【請求項４】
請求項２に記載のコネクタソケットモジュールにおいて、
前記側板側脚部は、前記側板部から横に張り出て且つ前記側板部に対して直角に折り曲げてある構成であり、
前記背面板側脚部は、前記背面板部から横に張り出て且つ前記背面板部に対して直角に折り曲げてある構成であり、
前記脚構造部は、前記側板部側脚部と前記背面板側脚部とが、上側からみて直角をなすように配置された構造であることを特徴とするコネクタソケットモジュール。
【請求項５】
請求項４に記載のコネクタソケットモジュールにおいて、
前記側板側脚部から横に張り出て且つ前記側板側脚部に対して直角に折り曲げてあるブラケット部を更に有し、
前記脚構造部は、前記側板部側脚部と前記背面板側脚部とが、上側からみて直角をなすように配置され、且つ、前記ブラケット部が前記背面板側脚部と重なっている構造であることを特徴とするコネクタソケットモジュール。
【請求項６】
請求項２に記載のコネクタソケットモジュールにおいて、
前記足構造部は、
前記側板部から横に張り出ている側板側脚部の下端に折り曲げて形成してあり、貫通孔を有する下側足部と、
前記背面板部から横に張り出ている背面板側脚部の下端に折り曲げて形成してあり、ねじ孔を有する上側足部とを有し、
前記下側足部の上側に前記上側足部が重なっている構造であることを特徴とするコネクタソケットモジュール。
【請求項７】
請求項２に記載のコネクタソケットモジュールにおいて、
前記ホルダー部材は、
前記中空梁部及び前記背面板部に、補強のためのリブ部を有する構成としたことを特徴とするコネクタソケットモジュール。
【請求項８】
請求項２に記載のコネクタソケットモジュールにおいて、
前記側板部は、前記中継基板の切欠部に嵌合したラグを有し、
該ラグは、その一部に塑性変形されて、前記中継基板の前面を係止する係止片を有する構成としたことを特徴とするコネクタソケットモジュール。
【請求項９】
請求項２に記載のコネクタソケットモジュールにおいて、
前記中継基板を前記中空梁部に固定するねじ部材は、
そのねじ頭部に雌ねじ部を有する構成の特殊形状ねじ部材である構成としたことを特徴とするコネクタソケットモジュール。
【請求項１０】
単一のメインボードと、
前記メインボード上に実装してあるコネクタソケットモジュールと、
機器の外形を形成するパネルとを有し、
前記コネクタソケットモジュールは、
コネクタソケットモジュール本体と、
ホルダー部材とを有し、
前記コネクタソケットモジュール本体と前記ホルダー部材とが固定してある構成であり、
前記コネクタソケットモジュールは、前記ホルダー部材を前記単一のメインボードにねじ止めしてあり、且つ、前記コネクタソケットモジュール本体を前記パネルにねじ止めしてある構成であり、
前記ホルダー部材は、
所定形状の金属板部材を折り曲げて形成された構造で、該コネクタソケットモジュール本体をホールドしてこの背面側を覆う構造であり、
左右側の側板部と、
該左右側の側板部間に横架してある中空の梁部と、
該中空梁部より下方向に延びている背面板部と、
前記側板部から横に張り出ている側板側脚部と前記背面板部から横に張り出ている背面板側脚部との組み合わせによって形成してある脚構造部と、
該組み合わせ構造脚部の下端に位置する重ね構造の足構造部と、
前記メインボードに固定される部分とを有する、
ことを特徴とする機器。
【請求項１１】
請求項１０に記載の機器において、
前記コネクタソケットモジュール本体は、ねじ頭部に、雌ねじ部を有する特殊形状ねじ部材によって前記ホルダー部材に固定してある構成であり、
前記コネクタソケットモジュールは、前記フロントパネルの外側から前記雌ねじ部に螺合されたねじによって、前記特殊形状ねじ部材の個所を前記フロントパネルに固定してある構成としたことを特徴とする機器。
【請求項１２】
メインボードに実装されて使用され、ケーブル側コネクタプラグと該メインボードとの間を接続するコネクタソケットモジュールであって、
コネクタソケットモジュール本体と、
該コネクタソケットモジュール本体の背面側に位置して、前記コネクタソケットモジュール本体をホールドするホルダー構造体とを有し、
前記コネクタソケットモジュール本体は、
中継基板と、
該中継基板の前面に並んで実装してあり、前記ケーブル側コネクタプラグが接続される複数のI/Oコネクタソケットと、
該中継基板の背面に実装してあり、前記メインボード上のコネクタと接続される実装用コネクタとを有する構成であり、
前記ホルダー構造体は、
前記中継基板の背面の両端間を跨ぐ形状であり、前記中継基板の両端側の背面を受ける中継基板受け部と、前記メインボードに固定される部分を有する第１のフレーム部材と、
前記中継基板の背面の両端間を跨ぐ形状であり、前記中継基板の両端側の前面を係止するフック部を有し、該フック部が前記中継基板の両端側の前面を係止して、前記第１のフレーム部材の後ろ側に位置する第２のフレーム部材と、
後ろ側から該第２のフレーム部材のねじ穴に螺合しており、先端が前記第１のフレーム部材を押して、前記第１のフレーム部材と前記第２のフレーム部材との間を離すようにするねじ部材とよりなり、
前記中継基板の両端の部分が、前記第２のフレーム部材の前記フック部と前記第１のフレーム部材の前記中継基板受け部との間に挟まれた構成としたことを特徴とするコネクタソケットモジュール。
【請求項１３】
請求項１２に記載のコネクタソケットモジュールにおいて、
前記第１のフレーム部材と前記第２のフレーム部材とは、嵌合しあって仮ホルダー構造体を形成する構成であることを特徴とするコネクタソケットモジュール。
【請求項１４】
請求項１２に記載のコネクタソケットモジュールにおいて、
上記ねじ部材には、緩み止めのナットが螺合しており、
該緩み止めのナットが前記第２のフレーム部材の内側の面に押し当たっている構成としたことを特徴とするコネクタソケットモジュール。
【発明の詳細な説明】
【技術分野】
【０００１】
本発明はコネクタソケットモジュールに係り、特にサーバ及びルータ等に組み込まれるコネクタソケットモジュールに関する。
【０００２】
サーバ及びルータ等は、設計及び組み立てがし易い構造、及び、保守がし易い構造であることが望ましい。
【背景技術】
【０００３】
図１及び図２は従来のサーバ１０の一部を示す。サーバ１０は、I/O(Input/Output)コネクタの数が多いタイプであり、シャーシ１１内に二つのメインボード２０，２１が組み込んであり、メインボード２０の端に並んで実装してある複数のI/Oコネクタソケット３０と、メインボード２１の端に並んで実装してある複数のI/Oコネクタソケット３１とが、フロントパネル１２の開口より突き出して二列に並んでいる構成である。
【０００４】
サーバ１０は、I/Oコネクタソケット３０、３１に、ケーブル３９の端のケーブル側コネクタプラグ４０が接続された状態で使用される。
【特許文献１】特開平９−６４７９号公報
【発明の開示】
【発明が解決しようとする課題】
【０００５】
上記のサーバ１０は、I/Oコネクタソケット３０、３１を二列に配置するために、二枚のメインボード２０、２１が必要となり、制御回路を二枚のメインボード２０、２１に分けて構成する必要があり、設計及び組み立てがし難いものであった。
【０００６】
また、一列に並んでいる多数のI/Oコネクタソケット３０、３１のうち、一つが故障した場合には、メインボード２０、２１を交換する必要があり、保守もし難いものであった。
【０００７】
本発明は、上記の点に鑑みなされたものであり、上記課題を解決したコネクタソケットモジュールを提供することを目的とする。
【課題を解決するための手段】
【０００８】
そこで、本発明は、メインボードに実装されて使用され、ケーブル側コネクタプラグと該メインボードとの間を接続するコネクタソケットモジュールであって、
コネクタソケットモジュール本体と、
該コネクタソケットモジュール本体をホールドして、該コネクタソケットモジュール本体の背面側を覆うホルダー部材とを有し、
前記コネクタソケットモジュール本体は、
中継基板と、
該中継基板の前面に並んで実装してあり、前記ケーブル側コネクタプラグが接続される複数のI/Oコネクタソケットと、
該中継基板の背面に実装してあり、前記メインボード上のコネクタと接続される実装用コネクタとを有する構成であり、
前記ホルダー部材は、
所定形状の金属板部材を折り曲げて形成された構造であり、
左右側の側板部と、
該左右側の側板部間に横架してある中空の梁部と、
該中空梁部より下方向に延びている背面板部と、
前記側板部から横に張り出ている側板側脚部と前記背面板部から横に張り出ている背面板側脚部との組み合わせによって形成してある脚構造部と、
該組み合わせ構造脚部の下端に位置する重ね構造の足構造部と、
前記メインボードに固定される部分と、
を有する構成であることを特徴とする。
【発明の効果】
【０００９】
本発明のコネクタソケットモジュールをメインボード上に並べて実装して使用することによって、従来は二つ必要であったメインボードを単一で足りるようにすることが出来る。よって、サーバの設計及び組み立てが簡単となる。
【００１０】
一つI/Oコネクタソケットが故障した場合には、この故障したI/Oコネクタソケットが属するコネクタソケットモジュールを取り外して新しいコネクタソケットモジュールを実装すれば足り、メインボードを交換する必要は無く、保守は容易に出来る。
【００１１】
また、ホルダー部材が所定形状の金属板部材を折り曲げて形成された構造であるため、ホルダー部材としてダイキャスト部品を使用した場合に比較して、コネクタソケットモジュールを小型に出来、且つ軽量に出来、しかも製造コストを安価に出来る。
【発明を実施するための最良の形態】
【００１２】
次に本発明の実施の形態について説明する。
【実施例１】
【００１３】
図３は本発明の実施例１になるコネクタソケットモジュール６０をメインボード５３と対応させて示す。
【００１４】
図４、図５、図６は図３のコネクタソケットモジュール６０が組み込んであるサーバ５０の一部を示す。サーバ５０は実際にはＸ方向に長い外形である。
【００１５】
サーバ５０は、外観は、図１及び図２に示すサーバ１０と同様に、複数のI/Oコネクタソケット６３−１〜６３−４が、フロントパネル５１の開口５１ａ，５１ｂより突き出して第１の横列と第２の横列との二列に並んでいる構成であり、シャーシ５２の内部は、図１及び図２に示すサーバ１０とは相違し、メインボード５３が単一であり、この端に沿って、複数のコネクタソケットモジュール６０がコネクタを介して接続されて並んでいる構成である。サーバ５０は、ケーブル側コネクタプラグ４０がI/Oコネクタソケット６３−１〜６３−４に接続された状態で使用される。
【００１６】
各図中、Ｘ１−Ｘ２はサーバ５０及びコネクタソケットモジュール６０の幅方向、Ｙ１−Ｙ２はサーバ５０の奥行き方向及びコネクタソケットモジュール６０の厚さ方向、Ｚ１−Ｚ２はサーバ５０及びコネクタソケットモジュール６０の高さ方向である。
［コネクタソケットモジュール６０の概略構成］
図７はコネクタソケットモジュール６０及びサーバ５０の一部を分解して示す。図８及び図９はコネクタソケットモジュール６０をコネクタソケットモジュール本体６１とホルダー部材６２とに分解して示す斜視図である。図１０はコネクタソケットモジュール６０の正面図、図１１はコネクタソケットモジュール６０の底面図である。図１２はコネクタソケットモジュール６０の断面図であり、メインボード側コネクタ５４が接続された状態で示す。
【００１７】
コネクタソケットモジュール６０は、コネクタソケットモジュール本体６１の背面側にホルダー部材６２が特殊形状ねじ部材６７等によって取り付けてあり、ホルダー部材６２がコネクタソケットモジュール本体６１をホールドしている構成である。
【００１８】
また、コネクタソケットモジュール６０は、前面側に、マトリクス状に並んでいる四つのI/Oコネクタソケット６３−１〜６３−４を有し、背面側に、一つの実装用コネクタ６５を有し、実装用コネクタ６５をメインボード側コネクタ５４と接続されて、且つ、ねじ５８．５９によってホルダー部材６２の一部を固定されて、メインボード５３上に実装される構成である。
【００１９】
また、コネクタソケットモジュール６０は、メインボード５３上に並んで実装され、メインボード５３の端に、複数のI/Oコネクタソケット６３−１〜６３−４を第１の横列と第２の横列との二列に並んで配置させることが可能である構成である。
【００２０】
また、コネクタソケットモジュール６０は、I/Oコネクタソケット６３−１〜６３−４の一つが故障した場合に、コネクタソケットモジュール６０をメインボード５３から取り外し、新たらしいもとの交換することが可能である構成である。
［コネクタソケットモジュール本体６１］
図８の一部にはコネクタソケットモジュール本体６１を前側から見て示す図が示してある。図９の一部にはコネクタソケットモジュール本体６１を裏側から見て示す図が示してある。図７に一部にはコネクタソケットモジュール本体６１を分解して示す図が示してある。
【００２１】
コネクタソケットモジュール本体６１は、中継基板７０と、この中継基板７０の前面７０ａにマトリクス状に並んで実装してある四つのI/Oコネクタソケット６３−１〜６３−４と、中継基板７０の背面７０ｂに実装してある一つの実装用コネクタ６５とを有する構成である。四つのI/Oコネクタソケット６３−１〜６３−４は、横向きであり、横列が二列、縦列が二列である配置である。
【００２２】
図１３（Ａ）は中継基板７０の、前面７０ａを示し、（Ｂ）は中継基板７０の背面７０ｂを示す。中継基板７０は、四つのI/Oコネクタソケット６３−１〜６３−４をマトリクス状に並んで実装できる大きさであり、前面７０ａにI/Oコネクタソケット実装部７１〜７４がマトリクス状に並んで形成してあり、背面７０ｂに実装用コネクタ実装部７５が形成してある構成である。
【００２３】
図１３（Ａ）に示すように、各実装部７１〜７４は、Ｘ方向に長い形状であり、夫々パッド７１ａ〜７４ａがＸ方向に並んでおり、且つ、Ｘ方向の両端に位置決め用孔７１ｂ〜７４ｂを有する構成である。
【００２４】
図１３（Ｂ）に示すように、実装部７５は、Ｘ方向に長い形状でありであり、パッド７５ａがＸ方向に並んでおり、且つ、Ｘ方向の両端に位置決め用孔７５ｂを有する構成である。パッド７５ａの数は、各実装部７１〜７４のパッド７１ａ〜７４ａの数を合計した数に相当する。
【００２５】
図示は省略してあるけれども、中継基板７０には、配線パターン、ビア及びグランドパターンが形成してあり、各実装部７１〜７４のパッド７１ａ〜７４ａと実装部７５のパッド７５ａとが電気的に接続されている。中継基板７０は、表面７０ａ側のI/Oコネクタソケット６３−１〜６３−４と裏面７０ｂ側の実装用コネクタ６５とを電気的に接続して、I/Oコネクタソケット６３−１〜６３−４と実装用コネクタ６５との間を中継する役割りをする。
【００２６】
また、中継基板７０には、上側の両側に、切欠部７６Ｒ，７６Ｌが形成してあり、且つ、下端寄りの両側に、切欠部７７Ｒ，７７Ｌが形成してある。
【００２７】
また、中継基板７０には、上端寄りの中央に、特殊形状ねじ部材６７用の貫通孔７８が形成してある。
【００２８】
図８に示すように、I/Oコネクタソケット６３−１は、絶縁性の本体部６３−１ａにコンタクト６３−１ｂが平衡伝送が可能である配置に並んでおり、先端側に本体部６３−１ａのうち先端側の部分がシールドカバー６４でもって覆われた嵌合接続部６３−１ｃを有する構造である。他のI/Oコネクタソケット６３−２〜６３−４も上記のI/Oコネクタソケット６３−１同じ構造である。I/Oコネクタソケット６３−１〜６３−４は、本体部６３−１ａの突起（図示せず）を位置決め用孔７１ｂ〜７４ｂに嵌合させて位置決めされて、且つ、コンタクトをパッド７１ａ〜７４ａに半田付けされて、夫々実装部７１〜７４に表面実装してある。
【００２９】
ここで、I/Oコネクタソケット６３−１〜６３−４は、I/Oコネクタソケット６３−１、６３−３と、I/Oコネクタソケット６３−２、６３−４との間のＸ方向の間隔Ａ(図１０参照)を、特殊形状ねじ部材６７が丁度収まる最小の大きさとされて配置してある。また、I/Oコネクタソケット６３−１、６３−２と、I/Oコネクタソケット６３−３、６３−４との間のＺ方向の間隔も出来るだけ狭くしてある。これによって、中継基板７０のＸ軸方向の長さ、コネクタソケットモジュール本体６１のＸ軸方向の長さが短くなり、最終的には、コネクタソケットモジュール６０がそのＸ軸方向の長さＢ及びＺ軸方向の長さ（高さ）Ｃを共に短くされて構成される。
【００３０】
図９に示すように、実装用コネクタ６５は、中継基板７０の長さに略相当する長さを有し、絶縁性の本体部６５ａにコンタクト６５ｂが平衡伝送が可能である配置に並んでおり、ライトアングル型であり、プリント基板に対して平行の姿勢で実装される構造のものである。コンタクト６５ｂの数は、各I/Oコネクタソケット６３−１〜６３−４のコンタクト６３−１ｂの数を合計した数に相当する。この実装用コネクタ６５は、本体部６５ａの突起（図示せず）を位置決め用孔７５ｂに嵌合させて位置決めされて、且つ、コンタクトをパッド７５ａに半田付けされて、実装部７５に表面実装してある。
【００３１】
このコネクタ６５は、Ｚ２側を向いているソケット部６５ｃを有し、且つ、本体部６５ａの長手方向の両端に、Ｚ２側を向いているガイド用突起部６５ｄを有する。
［ホルダー部材６２］
図１４、図１５に示すように、ホルダー部材６２は、Ｘ方向の中心を通ってＹ方向に延在する中心線ＣＬを通るＹ−Ｚ平面に関して左右対称である形状である。Ｙ２側から見て右側の部分には添え字Ｒを付し、左側の部分には添え字Ｌを付す。
【００３２】
ホルダー部材６２は、図１６に示す形状の金属板部材１３０を、図１８乃至図２０に示すように折り曲げて製造したものであり、左右側の側板部１００Ｒ、１００Ｌと、この側板部１００Ｒ、１００Ｌ間に横架してある中空梁部８０と、中空梁部８０より延びている背面板部９０と、側板部１００Ｒ、１００Ｌから張り出ている部分と背面板部９０から張り出ている部分との組み合わせによって形成してある脚構造部１１０Ｒ、１１０Ｌと、脚構造部１１０Ｒ、１１０Ｌの下端に位置する重ね構造の足構造部１２０Ｒ、１２０Ｌとを有する構成である。
【００３３】
中空梁部８０、脚構造部１１０Ｒ、１１０Ｌ、足構造部１２０Ｒ、１２０Ｌ（足構造部１２０Ｒ、１２０Ｌに対するねじ止め構造）、側板部１００Ｒ、１００Ｌのクランク形状、及び、切り起こして形成してあるリブ部が、ホルダー部材６２の強度を、ダイキャスト製のものと略同程度にまで高めている。しかも、ホルダー部材６２は金属板部材１３０を折り曲げて製造したものであるため、ダイキャスト製のものに比較して、軽量であり、且つ、外形寸法も短く、製造コストも安価である。
【００３４】
図１４に示すように、中空梁部８０はＸ方向に延在している。中空梁部８０は、背面板部９０のうちＺ１側の部分と、背面板部９０のＺ１側端よりＹ２方向へ突き出ている天板部８１と、天板部８１のＹ２方向端（前端）よりＺ２方向（下向き）に折り曲げて形成してある前板部８２と、前板部８２のＺ２方向端（下縁）よりＹ１方向（奥方）に折り曲げて形成して折り返し板部８３とよりなり、断面が略正方形の中空の梁である。
【００３５】
天板部８１及び折り返し板部８３の夫々には、その中央部分に、切り起こされてＸ方向に延在して形成してあるブリッジ部８１ａ，８３ａが存在している。前板部８２には、その中央部分に、切り起こされてＺ方向に延在している補強用のリブ部８２ａが存在している。中空梁部８０はこのリブ部８２ａ及びブリッジ部８１ａ，８３ａによって補強されている。
【００３６】
リブ部８２ａには、ねじ孔８２ｂが形成してある。また、天板部８１にはブリッジ部８１ａの隣りに通気開口９５が形成してある。
【００３７】
図１５に示すように、背面板部９０は、ホルダー部材６２の背面を形成する。背面板部９０の中央部分には、切り起こされてＺ方向に延在している補強用のリブ部９１が形成してある。
【００３８】
背面板部９０は、Ｘ１側に、折り曲げられてＹ１方向（横方向）に張り出ている脚部（背面板側脚部）９２Ｒと、脚部９２ＲのＺ２端より折り曲げられてＸ１方向に向いている上側足部９３Ｒとを有する。上側足部９３Ｒはねじ孔９４Ｒを有する。背面板部９０は、Ｘ２側に、脚部（背面板側脚部）９２Ｌと、ねじ孔９４Ｌ付きの上側足部９３Ｌとを有する。背面板部９０に、側板部１００Ｒ、１００Ｌと同様に、複数の通気孔を設けても良い。
【００３９】
図１４及び図１５に示すように、側板部１００Ｒは、中空梁部８０の前板部８２の端に対して折り曲げて形成してある。側板部１００Ｒは、複数の通気孔１０１Ｒを有し、且つ、Ｚ１側の部位にＹ２方向に突き出た上側ラグ１０２Ｒを有し、Ｚ２側のから部位にＹ２方向に突き出た下側ラグ１０３Ｒを有する。下側ラグ１０３Ｒには、略Ｙ２方向に向く切り起こし係止片１０４Ｒ（図１１参照）が形成してある。
【００４０】
図１５に示すように、側板部１００Ｒは、そのＹ１側に、側板部１００Ｒに対してＸ２方向（横方向）に折り曲げて形成してある脚部（側板側脚部）１０５Ｒと、この脚部１０５ＲのＺ２端より折り曲げられてＹ１方向に向いている下側足部１０６Ｒと、この脚部１０５ＲのＸ２側をＹ１方向に折り曲げられて形成してあるブラケット部１０８Ｒとを有する。下側足部１０６Ｒにはねじが貫通する孔１０７Ｒが形成してある。
【００４１】
脚部（背面板側脚部）９２Ｒと脚部（側板側脚部）１０５ＲとはＺ２方向からみて直角を形成する配置にあり、ブラケット部１０８Ｒは脚部９２ＲのＸ１側に位置して脚部９２Ｒと重なっている。脚部９２Ｒと、脚部１０５Ｒと、ブラケット部１０８Ｒとが、組み合わせ構造脚部１１０Ｒを形成する。脚部９２Ｒと脚部１０５Ｒとが直角で配置してあり、張り出し脚部９２Ｒはその幅がＹ方向に延在する配置であり、脚部１０５Ｒはその幅がＸ方向に延在する配置であることによって、中空梁部８０に作用するＹ方向の力ＦＹは、脚部９２Ｒが受け、中空梁部８０に作用するＸ方向の力ＦＸは、脚部１０５Ｒが受け、この脚構造部１１０Ｒの機械的強度は高い。
【００４２】
下側足部１０６Ｒと上側足部９３Ｌとは上下に重なり合っており、足構造部１２０Ｒを形成し、この足構造部１２０Ｒの機械的強度は高い。
【００４３】
左側の脚構造部１１０Ｌ及び足構造部１２０Ｌは、上記の右側の脚構造部１１０Ｒ及び足構造部１２０Ｒと同じ構造であり、その機械的強度は高い。
【００４４】
図１６の金属板部材１３０は、折り曲げ前の状態、即ち、ホルダー部材６２を展開した状態を示す。各区画部にはホルダー部材６２の各部分に対応した符号を付す。破線は折り曲げ線であり、適宜、山折り、谷折りされる。
【００４５】
金属板部材１３０の折り曲げは、例えば、以下の順序で行う。
【００４６】
先ず、図１７に示すように、ブリッジ部８３ａ、リブ部８２ａ、ブリッジ部８１ａ、リブ部９１が直線上に並んで形成し、更に、図１８に示すように、側板部１００Ｒより張り出ている部分を折り曲げて、脚部１０５Ｒと、下側足部１０６Ｒと、ブラケット部１０８Ｒとを形成し、側板部１００Ｌより張り出ている部分を折り曲げて、脚部１０５Ｌと、下側足部１０６Ｌと、ブラケット部１０８Ｌとを形成し、且つ、背面板部９０の両側より張り出ている部分を折り曲げて、脚部９２Ｒ、９２Ｌと、上側足部９３Ｒ、９３Ｌとを形成する。
【００４７】
次いで、図１９及び図２０に示すように、折り返し板部８３と前板部８２とを折り曲げて、中空梁部８０を形成し、更には、前板部８２より両側に張り出ている部分を折り曲げて、側板部１００Ｒ、１００Ｌを形成する。
【００４８】
最後に、次いで、中空梁部８０よりＹ１方向に延びている部分をＺ２方向に折り曲げる。この折り曲げによって、図１４及び図１５に示すように、側板部１００Ｒと側板部１００Ｌとの間に背面板部９０が形成される。また、脚部９２Ｒが、ブラケット部１０８Ｒと重なって、脚部１０５Ｒに対して直角の位置関係で脚部１０５Ｒに接近して、組み合わせ構造脚部１１０Ｒが形成される。また、上側足部９３Ｒが下側足部１０６Ｒ上に重なって、構造足部１２０Ｒが形成される。また、脚部９２Ｌが、ブラケット部１０８Ｌと重なって、脚部１０５Ｌに対して直角の位置関係で脚部１０５Ｌに接近して、組み合わせ構造脚部１１０Ｌが形成される。また、上側足部９３Ｌが下側足部１０６Ｌ上に重なって、構造足部１２０Ｌが形成される。
［コネクタソケットモジュール６０］
図３、図１１、図１２等に示すように、コネクタソケットモジュール６０は、コネクタソケットモジュール本体６１の背面側にホルダー部材６２が特殊形状ねじ部材６７によって取り付けてある構成である。
【００４９】
ホルダー部材６２は、その上側ラグ１０２Ｒ、１０２Ｌが夫々中継基板７０の切欠部７６Ｒ，７６Ｌを係止し、且つ、下側ラグ１０３Ｒ、１０３Ｌが切欠部７７Ｒ，７７Ｌに嵌合した状態で、コネクタソケットモジュール本体６１の背面側を覆って仮止めされる。この状態で、コネクタソケットモジュール本体６１の前面側から特殊形状ねじ部材６７を締め、更に、切り起こし係止片１０４Ｒ、１０４Ｌを倒す方向に曲げて塑性変形させ、係止片１０４Ｒ、１０４Ｌの先端が中継基板７０の前面７０ａに押し当って係止するようにすることによって、コネクタソケットモジュール本体６１とホルダー部材６２とが一体化されている。ホルダー部材６２は、中継基板７０の背面７０ｂと、実装用コネクタ６５とを覆って、ソケットモジュール本体６１をホールドしている。
【００５０】
コネクタソケットモジュール本体６１は、互いに離れている三箇所でホルダー部材６２に結合されている。即ち、コネクタソケットモジュール本体６１は、中央であって上方の位置の個所を特殊形状ねじ６７でもって中空梁部８０の中央のリブ部８２ａに固定してあり、且つ、下方の左右側を、下側ラグ１０３Ｒ、１０３Ｌの一部、即ち、平らになる方向に曲げられて塑性変形された係止片１０４Ｒ、１０４Ｌによって固定されている。
【００５１】
更に、下側ラグ１０３Ｒ、１０３Ｌによって、コネクタソケットモジュール本体６１はホルダー部材６２に対するＸ方向への動きを規制されている。上側ラグ１０２Ｒ、１０２Ｌによって、コネクタソケットモジュール本体６１はホルダー部材６２に対するＺ１方向への動きを規制されている。
【００５２】
なお、図１１中に拡大して示すように、切り起こし係止片１０４Ｒ、１０４Ｌは、下側ラグ１０３Ｒ、１０３Ｌに対して４５°の角度で起こされており、約２０°の角度となるように曲げられて、中継基板７０の表面７０ａを係止している。
【００５３】
特殊形状ねじ部材６７は、図２１（Ａ）乃至（Ｃ）に示すように、ねじ頭部６７ａと、軸部６７ｂと、雄ねじ部６７ｃと、先端のガイド部６７ｄとを有し、且つ、ねじ頭部６７ａに、スリット６７ｅと雌ねじ部６７ｆとが形成してある構造である。スリット６７ｅはねじ回しの先端が嵌合するためのものである。雌ねじ部６７ｆは、ねじ頭部６７ａの中心に、ねじ頭部６７ａの頂上面より形成された孔に形成してある。
【００５４】
この特殊形状ねじ部材６７は、図１２に示すように、軸部６７ｂが貫通孔７８に嵌合し、雄ねじ部６７ｃがねじ孔８２ｂに螺合して固定してある。ねじ頭部６７ａは、I/Oコネクタソケット６３−３、６３−４との間に位置しており、その高さは、I/Oコネクタソケットの絶縁性の本体部の基部側の部分に対応する高さである（図１１参照）。特殊形状ねじ部材６７をI/Oコネクタソケット６３−３、６３−４との間に差し込むと、先端のガイド部６７ｄが貫通孔７８に嵌合して、特殊形状ねじ部材６７の先端の位置が決まる。よって、特殊形状ねじ６７を締める作業は簡単である。
［コネクタソケットモジュール６０のサーバ５０のメインボード５３への実装構造］
図３に示すように、メインボード５３上には、メインボード側コネクタ５４が実装してある。メインボード５３には、メインボード側コネクタ５４の近くに貫通孔５５、５６が形成してある。
【００５５】
図３のコネクタソケットモジュール６０は、図４及び図１０に示すように、実装用コネクタ６５をメインボード側コネクタ５４と嵌合接続されて、且つ、メインボード５３の下面からのねじ５７，５８によって足構造部１２０Ｒ、１２０Ｌをメインボード５３に固定されて実装されている。実装用コネクタ６５のメインボード側コネクタ５４への嵌合接続は、ガイド用突起部６５ｄとガイド用孔部５４ａ（図３参照）とが嵌合することによって円滑になされる。
【００５６】
ここで、図１０の一部に拡大して示すように、ねじ５７は、下側足部１０６Ｒの孔１０７Ｒを貫通して、上側足部９３Ｒのねじ孔９４Ｒに螺合してあり、足構造部１２０Ｒは、下側足部１０６Ｒがメインボード５３と上側足部９３Ｒとによって挟みつけられている。同じく、足構造部１２０Ｌも、下側足部１０６Ｌがメインボード５３と上側足部９３Ｌとによって挟みつけられている。よって、足構造部１２０Ｒ、１２０Ｌがメインボード５３にしっかり固定されていると共に、脚部９２Ｒ及び脚部１０５Ｒが共にしっかりと固定されて強固な脚構造部１１０Ｒが形成され、且つ、脚部９２Ｌ及び脚部１０５Ｌが共にしっかりと固定されて強固な脚構造部１１０Ｌが形成されて、ホルダー部材６２は、外力が作用しても簡単には変形しない状態でメインボード５３上に固定してある。よって、コネクタソケットモジュール６０は、メインボード５３上に頑丈に固定されて実装してある。
【００５７】
また、メインボード５３上に実装してあるコネクタソケットモジュール６０は、サーバ５０のフロントパネル５１にも固定してある。即ち、図４及び図７に示すように、ねじ５９がフロントパネル５１の孔５１ａを通って特殊形状ねじ６７のねじ頭部６７ａの雌ねじ部６７ｆに螺合してあり、コネクタソケットモジュール６０は特殊形状ねじ６７の個所（コネクタソケットモジュール６０のうち、メインボード５３への固定個所より離れている部位）でフロントパネル５１に固定してある。よって、コネクタソケットモジュール６０は、サーバ５０に頑丈に固定されている。これにより、ケーブル側コネクタプラグ４０の接続操作、接続解除操作は安定に行なわれる。
【００５８】
なお、予めコネクタソケットモジュール６０を複数個用意しておいて、各コネクタソケットモジュール６０をメインボード５３上に実装してねじ止めすることによって、多数のI/Oコネクタソケットが二列で並んだ配置を形成することが可能となる。
【００５９】
また、サーバ５０が使用されている状態で、一つのI/Oコネクタソケットが故障した場合には、故障したI/Oコネクタソケットが属しているコネクタソケットモジュール６０だけを交換すれば足り、メインボード５３の交換は不要であり、保守は容易である。
【００６０】
また、ホルダー部材６２はグランドパスの一部を形成する。即ち、メインボード５３のグランドパターンは、ねじ５９、ホルダー部材６２、特殊形状ねじ部材６７を介して、フロントパネル５１と電気的に接続してある。また、中継基板７０のグランドパターンは、特殊形状ねじ６７を介して、フロントパネル５１と電気的に接続してある。
【００６１】
サーバ５０がラックに取り付けられて稼動している状態において、メインボード５３のグランドパターンは、ねじ５９、ホルダー部材６２、特殊形状ねじ部材６７、フロントパネル５１、ラックを介して、グランド電位とされている。中継基板７０のグランドパターンは、特殊形状ねじ６７、フロントパネル５１、ラックを介して、グランド電位とされている。
【００６２】
サーバ５０がラックに取り付けられて稼動している状態において、サーバ５０内に発生している強制空冷のための空気流は、通気孔１０１Ｒ、１０１Ｌ及び通気開口９５を通って、ホルダー部材６２の内側に入り込んでホルダー部材６２の外に抜ける。これによって、コネクタソケットモジュール本体６１のうち中継基板７０の背面側の部分は効果的に空冷される。
【００６３】
図２２は前記の切り起こし係止片１０４Ｒの変形例を示す。図２２（Ａ），（Ｂ）は最初の状態である。係止片２０４Ｒ１、２０４Ｒ２は、下側ラグ２０３Ｒより、Ｚ１，Ｚ２方向に張り出しており、係止片２０４Ｒ１、２０４Ｒ２と下側ラグ２０３Ｒとの境２０５Ｒ１、２０５Ｒ２は、Ｙ２方向に向かって先細となるように傾斜している。
【００６４】
係止片２０４Ｒ１、２０４Ｒ２を境２０５Ｒ１、２０５Ｒ２の個所でコネクタソケットモジュールの中心側に向かって折り曲げて塑性変形させる。これによって、係止片２０４Ｒ１、２０４Ｒ２は、図２２（Ｃ），（Ｄ）に示すようになり、係止片２０４Ｒ１、２０４Ｒ２の一つの角部２０４Ｒ１ａ、２０４Ｒ２ａが中継基板７０の表面７０ａに接近して、これを係止する。
【実施例２】
【００６５】
図２３及び図２４は本発明の実施例２になるコネクタソケットモジュール６０Ａを示す。コネクタソケットモジュール６０Ａは、コネクタソケットモジュール本体６１Ａとホルダー部材６２Ａとが固定された構成であり、図３に示すコネクタソケットモジュール６０とは、I/Oコネクタソケットの数及び向きが相違する。
【００６６】
コネクタソケットモジュール６０Ａは、二つのI/Oコネクタソケット６３−１、６３−２が、縦向きであり、横列は一列で、縦列は二列の配置である。
【００６７】
I/Oコネクタソケットの配置は、上記の他に、縦列が一列であって、横列が二列、三列、四列等の配置でもよい。
【実施例３】
【００６８】
図２５及び図２６は夫々本発明の実施例３になるコネクタソケットモジュール６０Ｂを示す。図２７は図２５のコネクタソケットモジュール６０Ｂを分解して示し、図２８は図２６のコネクタソケットモジュール６０Ｂを分解して示す。
【００６９】
コネクタソケットモジュール６０Ｂは、図３に示すコネクタソケットモジュール６０とは、主に、ホルダー構造体３００が相違する。図２５乃至図２８中、図３乃至図９に示す構成部分と対応する構成部分には同じ符号を付し、その説明は省略する。
【００７０】
ホルダー構造体３００は、コネクタソケットモジュール本体６１Ｂの背面側に位置して、このコネクタソケットモジュール本体６１Ｂをホールドする。
【００７１】
コネクタソケットモジュール本体６１Ｂは、図８に示すコネクタソケットモジュール本体６１とは、中継基板７０Ｂが相違する。中継基板７０Ｂは、上側の両側に、切欠部７６ＢＲ，７６ＢＬを有し、且つ、中央の両側に、切欠部７７ＢＲ（一方は図示せず）が形成してある。
【００７２】
ホルダー構造体３００は、第１のフレーム部材３０１と、第２のフレーム部材３１０と、左右のねじ部材３２０Ｒ，３２０Ｌと、左右のナット３２１Ｒ，３２１Ｌとよりなる構成であり、Ｘ１−Ｘ２方向の中心を通るＹ−Ｚ面に関して左右対称である。
【００７３】
第１のフレーム部材３０１は、厚さｔ１が２ｍｍの板金部材であり、Ｘ１−Ｘ２方向の両端に腕部３０２Ｒ，３０２Ｌ，３０３Ｒ，３０３Ｌを有し、中央にＹ２方向に突き出た補強のためのＵ字部３０４、３０５を有し、Ｚ２側から見て略Ｕ字形状であって、中継基板７０Ｂの背面のＸ１−Ｘ２方向の両端の間を跨ぐ形状であり、剛性を有する。また、第１のフレーム部材３０１は、Ｘ１−Ｘ２方向の両端であって、Ｙ１側であって、Ｚ２側に、ホルダー構造体３００のメインボードに固定される部分である足部３０６Ｒ（一方は図示せず）を有し、且つ、略中央に、開口３０７を有する。
【００７４】
Ｚ１−Ｚ２方向上略中央の腕部３０２Ｒ，３０２Ｌは、中継基板受け部３０２Ｒａ，３０２Ｌａと第２のフレーム部材支持部３０２Ｒｂ，３０２Ｌｂとを有する。
【００７５】
Ｚ１側の腕部３０３Ｒ，３０３Ｌは、中継基板受け部３０３Ｒａ，３０３Ｌａと、Ｙ２方向に突き出たラグ部３０３Ｒｂ，３０３Ｌｂとを有する。
【００７６】
足部３０６Ｒ（３０６Ｌ）は、ホルダー構造体３００のメインボードに固定される部分であり、ねじ穴３０６Ｒａを有する。開口３０７は、第２のフレーム部材３１０のＵ字部      ３１１を受け入れる。
【００７７】
第２のフレーム部材３１０は、厚さｔ２が２ｍｍの板金部材であり、Ｘ１−Ｘ２方向の両端に腕部３１１Ｒ，３１１Ｌを有し、Ｚ２側から見て略Ｕ字形状であって、第１のフレーム部材３０１よりＹ１側に位置して、中継基板７０Ｂの背面のＸ１−Ｘ２方向の両端の間を跨ぐ形状である。腕部３１１Ｒ，３１１Ｌは、先端にフック部３１１Ｒａ，３１１Ｌａを有する。更に、第２のフレーム部材３１０は、中央にＹ２方向に突き出た補強のためのＵ字部３１２を有し、且つ、Ｘ１、Ｘ２側に、ねじ穴３１３Ｒ，３１３Ｌを有する。
【００７８】
第１のフレーム部材３０１と第２のフレーム部材３１０とを組み合わせるに先立って、ねじ部材３２０Ｒ，３２０Ｌを夫々Ｙ１側からねじ穴３１３Ｒ，３１３Ｌにねじ込んで、且つ、ナット３２１Ｒ，３２１Ｌをねじ部材３２０Ｒ，３２０Ｌに螺合させておく。
【００７９】
第１のフレーム部材３０１とねじ部材付きの第２のフレーム部材３１０とは、第２のフレーム部材３１０が第１のフレーム部材３０１のＹ１側に位置し、Ｕ字部３１２を開口３０７に嵌合させ、腕部３１１Ｒ，３１１Ｌを夫々支持部３０２Ｒｂ，３０２Ｌｂに支持させて仮に組み合わされて、仮りのホルダー構造体が形成される。
【００８０】
コネクタソケットモジュール本体６１Ｂと、上記の仮りのホルダー構造体とは、以下に説明するように組み合わされる。
【００８１】
先ず、仮に組み合わされる。仮りの組み合わせは、フック部３１１Ｒａ，３１１Ｌａが切欠部７７ＢＲ（一方は図示せず）に嵌合して中継基板７０Ｂの前面を係止し、ラグ部３０３Ｒｂ，３０３Ｌｂが夫々切欠部７６ＢＲ，７６ＢＬに係合し、中継基板７０Ｂの中継基板７０ＢのＸ１−Ｘ２方向の両端側の背面が中継基板受け部３０２Ｒａ，３０２Ｌａ、３０３Ｒａ，３０３Ｌａに対向した状態とされる。
【００８２】
次いで、両側のねじ部材３２０Ｒ，３２０Ｌを締め込む。ねじ部材３２０Ｒ，３２０Ｌの先端が第１のフレーム部材３０１の背面に当たって、第２のフレーム部材３１０がＹ１方向に変位され、中継基板７０Ｂの両端部が、フック部３１１Ｒａ，３１１Ｌａと受け部３０２Ｒａ，３０２Ｌａ、３０３Ｒａ，３０３Ｌａとの間に強く挟み込まれた状態となる。また、第１のフレーム部材３０１と第２のフレーム部材３１０とが一体化されて、ホルダー構造体３００が構成された状態となる。また、ラグ部３０３Ｒｂ，３０３Ｌｂが中継基板７０ＢのＺ１方向へずれることを制限する。
【００８３】
次いで、ナット３２１Ｒ，３２１Ｌを締めて、第２のフレーム部材３１０の面に押し当て、ねじ部材３２０Ｒ，３２０Ｌを緩み止めさせる。
【００８４】
最後に、特殊形状ねじ６７をＵ字部３０４のねじ穴３０４ａにねじ込んで、中継基板７０Ｂの中央を第１のフレーム部材３０１のＵ字部３０４に固定する。
【００８５】
これによって、ホルダー構造体３００は、コネクタソケットモジュール本体６１Ｂを堅固にホールドした状態となる。
【図面の簡単な説明】
【００８６】
【図１】従来のサーバの一部を示す図である。
【図２】図１に示す部分を示す斜視図である。
【図３】本発明の実施例１になるコネクタソケットモジュールをメインボードと対応させて示す斜視図である。
【図４】図３のコネクタソケットモジュールが組み込んであるサーバの一部を示す図である。
【図５】図４に示す部分の一部を示す斜視図である。
【図６】図４に示す部分の一部を示す正面図である。
【図７】コネクタソケットモジュール及びサーバの一部を分解して示す図である。
【図８】コネクタソケットモジュールをコネクタソケットモジュール本体とホルダー部材とに分解して前面側から見て示す斜視図である。
【図９】コネクタソケットモジュールをコネクタソケットモジュール本体とホルダー部材とに分解して背面側から見て示す斜視図である。
【図１０】コネクタソケットモジュールの正面図である。
【図１１】コネクタソケットモジュールの底面図である。
【図１２】コネクタソケットモジュールの断面図である。
【図１３】プリント基板を示す図である。
【図１４】ホルダー部材を前面側から見て示す斜視図である。
【図１５】ホルダー部材を背面側から見て示す斜視図である。
【図１６】ホルダー部材を形成する金属板部材を示す平面図である。
【図１７】金属板部材の一部を折り曲げた状態を示す斜視図である。
【図１８】金属板部材の更に別の一部を折り曲げた状態を示す斜視図である。
【図１９】折り曲げが更に進んだ製造途中状態の物を示す斜視図である。
【図２０】図１９の製造途中状態の物を別の方向から見て示す斜視図である。
【図２１】特殊形状ねじ部材を示す図である。
【図２２】係止片の変形例を示す図である。
【図２３】本発明の実施例２になるコネクタソケットモジュールを示す斜視図である。
【図２４】図２３に示すコネクタソケットモジュールの断面図である。
【図２５】本発明の実施例３になるコネクタソケットモジュールを示す斜視図である。
【図２６】図２５のコネクタソケットモジュールの側面図である。
【図２７】図２６のコネクタソケットモジュールを分解して示す斜視図である。
【図２８】図２５のコネクタソケットモジュールを分解して示す斜視図である。
【符号の説明】
【００８７】
４０  ケーブル側コネクタプラグ
５０  サーバ
５１  フロントパネル
５３  メインボード
５４  メインボード側コネクタ
５７，５８，５９  ねじ
６０、６０Ａ、６０Ｂ  コネクタソケットモジュール
６１、６１Ｂ  コネクタソケットモジュール本体
６２  シールドホルダー部材
６３−１〜６３−４  I/Oコネクタソケット
６５  実装用コネクタ
６７  特殊形状ねじ部材
７０  中継基板
８０  中空梁部
８１  天板部
８２  前板部
８２ａ  リブ部
８３  折り返し板部
９０  背面板部
９２Ｒ，９２Ｌ  脚部（背面板側脚部）
９３Ｒ、９３Ｌ  上側足部
９４Ｒ、９４Ｌ  ねじ孔
１００Ｒ、１００Ｌ  側板部
１０１Ｒ，１０１Ｌ  通気孔
１０２Ｒ，１０２Ｌ  上側ラグ
１０３Ｒ，１０３Ｌ  下側ラグ
１０４Ｒ１、１０４Ｒ２、２０４Ｒ１、２０４Ｒ２  係止片
１０５Ｒ、１０５Ｌ  脚部（側板側脚部）
１０６Ｒ、１０６Ｌ  下側足部
１０７Ｒ、１０７Ｌ  孔
１０８Ｒ、１０８Ｌ  ブラケット部
１１０Ｒ、１１０Ｌ  脚構造部
１２０Ｒ、１２０Ｌ  足構造部
３００  ホルダー構造体
３０１  第１のフレーム部材
３１０  第２のフレーム部材
３２０Ｒ，３２０Ｌ  ねじ部材
３２１Ｒ，３２１Ｌ  ナット
【図１】
0004829000.tif 000002
【図２】
0004829000.tif 000003
【図３】
0004829000.tif 000004
【図４】
0004829000.tif 000005
【図５】
0004829000.tif 000006
【図６】
0004829000.tif 000007
【図７】
0004829000.tif 000008
【図８】
0004829000.tif 000009
【図９】
0004829000.tif 000010
【図１０】
0004829000.tif 000011
【図１１】
0004829000.tif 000012
【図１２】
0004829000.tif 000013
【図１３】
0004829000.tif 000014
【図１４】
0004829000.tif 000015
【図１５】
0004829000.tif 000016
【図１６】
0004829000.tif 000017
【図１７】
0004829000.tif 000018
【図１８】
0004829000.tif 000019
【図１９】
0004829000.tif 000020
【図２０】
0004829000.tif 000021
【図２１】
0004829000.tif 000022
【図２２】
0004829000.tif 000023
【図２３】
0004829000.tif 000024
【図２４】
0004829000.tif 000025
【図２５】
0004829000.tif 000026
【図２６】
0004829000.tif 000027
【図２７】
0004829000.tif 000028
【図２８】
0004829000.tif 000029